(57)【要約】【課題】  本発明は、部分的に異なった性質が要求される樹脂成形物の当該部分に応じた性質を備える樹脂成形物を得ることができるようにすることを目的とするものである。【解決手段】  本発明は、部分的に異なった性質が要求される樹脂成形物を成形する射出成形方法において、一方の性質部分を成形した後、さらに他の性質部分を成形することを特徴とする射出成形方法とすることで、樹脂成形物の部分に応じた性質を備える樹脂成形物を得ることができる。【選択図】図１
2005288817.tif 000002
【特許請求の範囲】
【請求項１】
部分的に異なった性質が要求される樹脂成形物を成形する射出成形方法において、一方の性質部分を成形した後、さらに他の性質部分を成形することを特徴とする射出成形方法。
【請求項２】
前記一方の性質が高曲げ弾性であり、他方の性質が低摩擦係数である請求項１記載の射出成形方法。
【請求項３】
前記一方の性質が高曲げ弾性であり、他方の性質が低曲げ弾性である請求項１記載の射出成形方法。
【請求項４】
前記樹脂成形物の異なる性質樹脂が他の性質の樹脂と同種の樹脂である請求項１乃至３記載の射出成形方法。
【請求項５】
前記樹脂成形物の異なる性質樹脂がホモポリマーであって、他の性質の樹脂が他の樹脂との共重合体である請求項４記載の射出成形方法。
【請求項６】
前記樹脂成形物が筆記具部品である請求項１乃至５記載の射出成形方法。
【請求項７】
前記筆記具部品が筆記具用キャップである請求項６記載の射出成形方法。
【請求項８】
前記一方の性質部分がキャップのクリップであり、他方の性質部分がキャップ本体である請求項７記載の射出成形方法。
【請求項９】
前記一方の性質部分が内キャップであり、他方の性質部分が外キャップである請求項７又は８記載の射出成形方法。
【請求項１０】
請求項１乃至９記載の射出成形方法を用いる樹脂成形物の製造方法。
【発明の詳細な説明】
【技術分野】
【０００１】
本発明は、部分的に異なった性質が要求される樹脂成形物の射出成形方法に関し、樹脂成形物の部分の必要な性質に応じた樹脂を用いる射出成形方法に関するものである。
【背景技術】
【０００２】
従来、２部品の組み立てを行う非効率の解消を目的として、該２部品を同時に成形する二色成形又はインサート成形を使用する筆記具（特許文献１、２参照）や筆記具用キャップの装飾効果を目的とする２色成形による筆記具用キャップ（特許文献３参照）が開示されている。
【０００３】
【特許文献１】特開平１１−７８３５８号公報
【特許文献２】特開２０００−１３６８８７号公報
【特許文献３】特開平１１−３４２６９７号公報
【発明の開示】
【発明が解決しようとする課題】
【０００４】
しかし、上記従来技術は、異種の部品を結合するものであり、同一部品の中で部分的に異なる性質が要求される樹脂成形物の成形方法について何等開示されていない。部分的に異なる性質を要求される樹脂成形物を同一樹脂で成形しようとすると、部分の肉厚を異にする寸法設計にて対処する必要性がある。ところが肉厚部分と肉薄部分を有する樹脂成形物を同一部品として射出成形方法にて同時に成形すると、肉厚部分と肉薄部分との冷却固化速度が異なり、収縮度に差が生じる結果、寸法誤差、ボイド及び引け等の不具合が生じる。当該問題を避けるため全てを肉薄とすると、肉厚部分に要求される強度が得られない。またデザイン上等の理由により肉薄とできない場合がある。一方、肉厚部分を確保するために肉薄部分も全て肉厚にすると溶融樹脂を投入するゲートを太くする必要性が出てくる。当該ゲートを太くすると外観が損なわれる問題や太いゲートを２次加工で除去しなければならなずい。従って、同一部品の中で部分的に異なる性質、例えば樹脂硬度と樹脂の滑り性が要求される樹脂成形物を寸法設計のみで解消しようとすれば、樹脂成形物に要求させる満足な品質、例えば筆記具キャップのクリップ強度とキャップの適度な嵌合が得られない或いは二重キャップにおける内キャップの気密性と外キャップ適度な嵌合が得られない等の問題があった。
【０００５】
本発明は、上記問題を解消し、部分的に異なった性質が要求される樹脂成形物の当該部分に応じた性質を備える樹脂成形物を得ることができるようにすることを目的とするものである。
【課題を解決するための手段】
【０００６】
本発明は、部分的に異なった性質が要求される樹脂成形物を成形する射出成形方法において、一方の性質部分を成形した後、さらに他の性質部分を成形することを特徴とする射出成形方法とすることで、上記問題を解消し、樹脂成形物の部分に応じた性質を備える樹脂成形物を得ることができる効果がある。尚、本発明は二種に限らず、三種以上の樹脂の組合せであっても構わない。
【０００７】
上記異なった性質としては、一方の性質が高曲げ弾性であり、他方の性質が低摩擦係数又は低曲げ弾性である射出成形方法であり、その適用樹脂成形物としては筆記具部品、特にキャップのとき異なった性質を有効に発揮できる。
【０００８】
尚、本発明における樹脂の性質については、上記に限らず、樹脂成形物の表面硬度、印刷適性、濡れ特性、クリープ特性及び耐溶剤性等の性質にも適用出来る。また、本発明は、筆記具以外にも適用してもよい。具体的には、絵具用パレット、筆軸、絵具容器及び化粧品ボトル等に適用できる。
【発明の効果】
【０００９】
本発明は、部分的に異なる性質を有していても一体的に簡単に作製できるとともに、異なる性質を最大限有効に発揮できる。特に筆記具用のキャップに適用する場合、クリップに高曲げ弾性、キャップ本体に低摩擦係数又は低曲げ弾性とすればクリップ強度を確保する一方、良好なキャップ嵌合或いは気密が確保される。或いは二重キャップにおける内キャップの気密性確保と外キャップの適度な嵌合が得られる効果がある。また成形による収縮度に差が生じることがなく、寸法誤差、ボイド及び引け等の不具合ががなく、またゲートを太くする必要性のないために外観が損なわれる問題がない。
【発明を実施するための最良の形態】
【００１０】
図１にて、本発明を筆記具用キャップに適用した場合の実施形態を示す。該実施形態におけるキャップ１は、キャップ本体２とクリップ３より構成される。該キャップ本体２は筒状であり、一方が外部に開口する開口部４と、他方が外部と遮断するキャップ頭部５を有する。また、クリップ３はクリップ竿６とクリップ玉８及びクリップ付根７より構成される。クリップ付根７は、キャップ頭部５のやや内側の位置にてキャップ本体２と結合している。当該クリップ付根７とキャップ本体２の間には、クリップ付根７より延び、キャップ本体２の外形の一部を周状に被覆するキャップ本体被覆部９を有する。
【００１１】
キャップ本体２の肉厚は、略一定の肉薄に成形されているのに対して、クリップ３は全体的に肉厚に成形されている。特に、クリップ付根７とクリップ玉８はその機能より、より肉厚に成形されている。尚、キャップ本体被覆部９は、キャップ本体との肉厚と合わせた肉厚は、意匠性を損なわせないようにするために肉薄としている。
【００１２】
当該キャップ１の製造方法は、一般に使用される樹脂用２色射出成形機を用いて、先ず低摩擦係数又は低曲げ弾性の性質がある樹脂でキャップ本体２を成形し、次に金型を開かずにクリップ３及び本体被覆部９に相当する金型部分に高曲げ弾性の性質を有する樹脂を射出するればよい。尚、本発明は、異なる樹脂の性質であれば使用出来るので、異種の樹脂の組合せに限らず、同種の樹脂であってもホモポリマー、コポリマー（ランダムコポリマー、ブロックコボリマー、グラフトコポリマー等も含む）等の重合方法の違う樹脂や分子量、重合度の違いにより性質が相違する場合であっても良い。
【００１３】
本発明に使用できる低摩擦係数樹脂としては、一般に射出成形が可能な樹脂であり、摩擦係数の低い樹脂であれば使用できる。具体的には、ＨＤＰＥ（高密度ポリエチレン樹脂）、ポリプロピレン樹脂、ポリアセタール樹脂、ポリブチレンテレフタレート樹脂、ナイロン樹脂等が使用できる。中でも、ＨＤＰＥ（高密度ポリエチレン樹脂）、ポリアセタール樹脂が好ましく使用できる。
【００１４】
また、本発明に使用できる低曲げ弾性樹脂としては、一般に射出成形が可能な樹脂であり、弾性の低い樹脂であれば使用できる。具体的には、ＬＤＰＥ（ポリエチレン樹脂）、ポリプロピレン樹脂等が使用できる。中でも、低分子量のポリエチレン樹脂、ポリプロピレン樹脂が好ましく使用できる。
【００１５】
一方、本発明に使用できる高曲げ弾性樹脂としては、一般に射出成形が可能な樹脂であり、弾性の高い樹脂であれば使用できる。具体的には、ＨＤＰＥ（高密度ポリエチレン樹脂）、ホモポリマーポリプロピレン樹脂、ポリカーボネート樹脂、ポリアセタール樹脂、アクリル樹脂、ポリエチレンテレフタレート樹脂、ポリブチレンテレフタレート樹脂、スチロール樹脂等が使用できる。中でも、強度、意匠性の点でポリカーボネート樹脂、ポリアセタール樹脂が好ましく使用できる。尚、発明は、樹脂の性質の差を有すれば良いので、上記例示の樹脂は性質の差は相対的なものであれば良く上記例示の範囲に限らない。
【００１６】
（実施例）
図１に第１実施例としてクリップを有する筆記具用キャップ１を示す。当該筆記具用キャップ１は、樹脂用２色射出成形機を用いて、先ずキャップ本体２を、低摩擦係数の性質があるＨＤＰＥ樹脂にて成形し、次に金型を開かずに、クリップ３及び本体被覆部９に相当する金型部分に高曲げ弾性の性質を有するポリプロピレン樹脂（ホモポリマー）を射出し、金型冷却後樹脂成形物を金型より取り出し当該筆記具用キャップの外観を目視にて確認した。その結果、意匠的に優れたものであった。また、クリップ竿を手で持ちクリップ玉とキャップ本体との間隔を広げてもクリップ付根の変形は認められず、キャップクリップに要求される剛性が得られた。さらにキャップ本体を筆記具本体に装着して、当該嵌合の感覚を確かめたところ、良好な感覚が得られた。
【００１７】
また、図２に第２実施例として二重キャップである筆記具用キャップ１´を示す。当該筆記具用キャップ１´は、樹脂用２色射出成形機を用いて、先ず内キャップ１１を低曲げ弾性の性質があるＬＤＰＥ樹脂にて成形し、次に金型を開かずに、外キャップ１０に相当する金型部分に高曲げ弾性の性質を有するＨＤＰＥ樹脂を射出し、金型冷却後樹脂成形物を金型より取り出し当該筆記具用キャップの外観を目視にて確認した。その結果、意匠的に優れたものであった。また、外キャップは剛性があり変形せず、内キャップは柔らかく気密性が良かった。
【図面の簡単な説明】
【００１８】
【図１】本発明を第１実施例の筆記具用キャップに適用した場合の当該筆記具用キャップの縦断面図である。
【図２】本発明を第２実施例の筆記具用キャップに適用した場合の当該筆記具用キャップの縦断面図である。
【符号の説明】
【００１９】
１ 、１´   筆記具用キャップ
２    キャップ本体
３    クリップ
４、４´    開口部
５、５´    キャップ頭部
６    クリップ竿
７    クリップ付根
８    クリップ玉
９    キャップ本体被覆部９
１０  外キャップ
１１  内キャップ
【図１】
2005288817.tif 000003
【図２】
2005288817.tif 000004